(57)【特許請求の範囲】
【請求項１】
各部屋の入り口に設置された第１の個人識別装置と、前記各部屋への共通の入り口に設置された第２の個人識別装置とを備えたセキュリティシステムであって、
前記第１の個人識別装置は、生体情報の入力部と、登録された複数の生体情報を記憶する記憶部と、この記憶部に記憶されている登録生体情報を順次に呼び出し、この呼び出した登録生体情報と前記入力部より入力された生体情報との照合を行う照合手段とを備え、
前記第２の個人識別装置は、生体情報の入力部と、番号入力部と、この番号入力部より入力された番号により特定される部屋の入り口に設置された前記第１の個人認識装置の記憶部から通信により登録生体情報を呼び出し、この呼び出した登録生体情報と前記入力部より入力された生体情報との照合を行う照合手段とを備えた
ことを特徴とするセキュリティシステム。
【請求項２】
請求項１において、前記番号入力部より入力される番号が部屋番号であることを特徴とするセキュリティシステム。
【発明の詳細な説明】
【０００１】
【発明の属する技術分野】
この発明は、マンション等の集合住宅、企業・大学等の研究施設などに用いて好適なセキュリティシステムに関するものである。
【０００２】
【従来の技術】
マンション等の集合住宅、企業・大学等の研究施設などでは、各部屋の入り口と各部屋への共通の入り口があり、各部屋の入り口と各部屋への共通の入り口の両方に個人識別装置として指紋照合装置を設置し、セキュリティを高めたいというニーズがある。
【０００３】
指紋入力装置には、指紋の入力に加えてＩＤ番号（識別番号）の入力が必要なタイプ（番号入力タイプ）と、指紋の入力のみでよいタイプ（番号非入力タイプ）の２タイプがある。番号入力タイプでは、ＩＤ番号を入力すると、登録されている複数の指紋の中からそのＩＤ番号に対応する登録指紋が呼び出され、入力された指紋との照合（一対一照合）が行われる。番号非入力タイプでは、指紋を入力すると、入力された指紋と登録されている複数の指紋との個別照合（一対複数照合）が行われる。
【０００４】
【発明が解決しようとする課題】
セキュリティを高めたいというニーズに対し、各部屋への共通の入り口および各部屋の入り口の両方に番号入力タイプの指紋照合装置を設置することが考えられる。番号入力タイプの指紋入力装置では、登録人数が多くても照合時間が短いという利点があるが、ＩＤ番号入力という煩わしさがある。この場合、トータルでの照合時間は短いものの、各部屋への共通の入り口と各部屋の両方でＩＤ番号を入力しなければならず、利用者にストレスを与えることになる。
【０００５】
また、セキュリティを高めたいというニーズに対し、各部屋への共通の入り口および各部屋の入り口の両方に番号非入力タイプの指紋照合装置を設置することが考えられる。番号非入力タイプの指紋入力装置では、ＩＤ番号入力の煩わしさがないという利点があるが、登録人数が多いと照合時間が長くなる。この場合、各部屋への共通の入り口では登録人数が多く、この共通の入り口での照合に時間がかかり、利用者にストレスを与えることになる。例えば、５階建てマンションで、各階５部屋で、各部屋４人が居住しているという条件、つまり共通の入り口では１００人の中からの識別、各部屋の入り口では４人の中からの識別という条件を考えた場合、各部屋への共通の入り口では１００指との照合を行うことになり、照合に多大な時間がかかる。
【０００６】
本発明はこのような課題を解決するためになされたもので、その目的とするところは、各部屋の入り口と各部屋への共通の入り口の両方に個人識別装置を設置し、セキュリティを高めたいというニーズに対し、利用者のストレスを軽減することのできるセキュリティシステムを提供することにある。
【０００７】
【課題を解決するための手段】
このような目的を達成するために本発明は、各部屋の入り口に設置する第１の個人識別装置を、生体情報の入力部と、登録された複数の生体情報を記憶する記憶部と、この記憶部に記憶されている登録生体情報を順次に呼び出し、この呼び出した登録生体情報と入力部より入力された生体情報との照合を行う照合手段とを備えた構成とし、各部屋への共通の入り口に設置する第２の個人識別装置を、生体情報の入力部と、番号入力部と、この番号入力部より入力された番号により特定される部屋の入り口に設置された第１の個人認識装置の記憶部から通信により登録生体情報を呼び出し、この呼び出した登録生体情報と入力部より入力された生体情報との照合を行う照合手段とを備えた構成としたものである。
この発明によれば、各部屋への共通の入り口では、そこに設置されている第２の個人識別装置へＩＤ番号や部屋番号などの番号を入力すると、その番号により特定される部屋の入り口に設置された第１の個人認識装置の記憶部から通信により登録生体情報が呼び出され、入力された生体情報との照合が行われる。各部屋の入り口では、そこに設置されている第１の個人識別装置へ生体情報を入力すると、入力された生体情報とこの個人識別装置の記憶部に記憶されている登録生体情報との個別照合が行われる。
【０００９】
【発明の実施の形態】
以下、本発明を実施の形態に基づき詳細に説明する。図２は本発明に係るセキュリティシステムのマンションへの適用例を示す配置図である。同図において、１は各部屋の入り口に設置された第１の指紋照合装置、２は各部屋への共通の入り口に設置された第２の指紋照合装置、３は各部屋の入り口のドアに対して設けられた電気錠コントローラ、４は共通の入り口の自動ドアに対して設けられた自動ドアコントローラである。本実施の形態において、第１の指紋照合装置１としては番号非入力タイプの指紋照合装置を用い、第２の指紋照合装置２としては番号入力タイプの指紋照合装置を用いている。
【００１０】
〔参考例１〕
図１（ａ）に第１の指紋照合装置１の概略構成を示す。第１の指紋照合装置１は、指紋入力部１Ａ，キー入力部１Ｂ，表示部１Ｃ，画像処理部１Ｄ，入力処理部１Ｅ，表示制御部１Ｆ，主制御部１Ｇ，照合部１Ｈ，記憶部１Ｉおよび出力部１Ｊを備えている。記憶部１Ｉにはこの指紋照合装置１が設置された部屋に居住する全ての人の指紋が記憶されている。例えば、その部屋に４人が居住しているものとした場合、その４人の指紋が登録指紋として記憶部１Ｉに記憶されている。キー入力部１Ｂに対しては蓋１Ｋが設けられている。通常は蓋１Ｋが閉じられてキー入力部１Ｂが隠されている。
【００１１】
図１（ｂ）に第２の指紋照合装置２の概略構成を示す。第２の指紋照合装置２は、指紋入力部２Ａ，キー入力部２Ｂ，表示部２Ｃ，画像処理部２Ｄ，入力処理部２Ｅ，表示制御部２Ｆ，主制御部２Ｇ，照合部２Ｈ，記憶部２Ｉおよび出力部２Ｊを備えている。記憶部２Ｉにはこの指紋照合装置２が設置された共通の入り口を利用する全ての人の指紋が記録されている。例えば、５階建てマンションで、各階５部屋で、各部屋４人が居住しているという条件であれば、全住人１００人の指紋が登録指紋として記憶部２Ｉに記憶されている。
【００１２】
〔共通の入り口での指紋照合〕
図３は共通の入り口に設置された指紋照合装置２での指紋照合処理を示すフローチャートである。共通の入り口において、マンションの住人は、指紋照合装置２のキー入力部２Ｂより自己に割り当てられたＩＤ番号を入力する。入力されたＩＤ番号は入力処理部２Ｅを介して主制御部２Ｇへ与えられる（ステップ３０１）。
【００１３】
次に、マンションの住人は、指紋照合装置２の指紋入力部２Ａに指を押し当てて指紋を入力する。入力された指紋は画像処理部２Ｄを介して照合部２Ｈへ与えられる。照合部２Ｈは、指紋入力部２Ａより指紋が入力されると（ステップ３０２のＹＥＳ）、キー入力部２ＢからのＩＤ番号に対応する登録指紋を主制御部２Ｇを介して記憶部２Ｉから呼び出し（ステップ３０３）、この呼び出した登録指紋と指紋入力部２Ａより入力された指紋との照合を行う（ステップ３０４）。
【００１４】
照合の結果、両者が一致すれば、照合部２Ｈはその旨を主制御部２Ｇへ通知する（ステップ３０５）。主制御部２Ｇは、照合部２Ｈからの「照合ＯＫ」である旨の通知を受けて、出力部２Ｊを介して自動ドアコントローラ４へ入場許可信号を送る。自動ドアコントローラ４は、主制御部２Ｇからの入場許可信号を受けて、共通の入り口に設置されている自動ドアを開く。また、主制御部２Ｇは、表示制御部２Ｆを介して、表示部２Ｃに「照合ＯＫ」である旨を表示する。
【００１５】
照合の結果、両者が不一致であれば、照合部２Ｈはその旨を主制御部２Ｇへ通知する（ステップ３０６）。主制御部２Ｇは、照合部２Ｈからの通知を受けて、表示制御部２Ｆを介し、表示部２Ｃに「照合ＮＧ」である旨を表示する。
【００１６】
〔各部屋の入り口での指紋照合〕
図４は各部屋の入り口に設置された指紋照合装置１での指紋照合処理を示すフローチャートである。共通の入り口の自動ドアを開いてマンション内に入った住人は、自分の部屋の前まで来て、その部屋の入り口に設置されている指紋照合装置１と向かい合う。この場合、住人は、指紋照合装置１へのＩＤ番号の入力は行わずに、直ちに指紋入力部１Ａに指を押し当てて指紋を入力する。
【００１７】
入力された指紋は画像処理部１Ｄを介して照合部１Ｈへ与えられる。照合部１Ｈは、指紋入力部１Ａより指紋が入力されると（ステップ４０１のＹＥＳ）、ｎ＝０としたうえ（ステップ４０２）、ｎ＝ｎ＋１とし（ステップ４０３）、ｎ番目の登録指紋を主制御部１Ｇを介して記憶部１Ｉから呼び出し（ステップ４０４）、この呼び出した登録指紋と指紋入力部１Ａより入力された指紋との照合を行う（ステップ４０５）。この場合、先ず最初に、ｎ＝１番目の登録指紋が記憶部１Ｉから呼び出され、入力された指紋との照合が行われる。
【００１８】
照合の結果、両者が一致すれば、照合部１Ｈはその旨を主制御部１Ｇへ通知する（ステップ４０７）。主制御部１Ｇは、照合部１Ｈからの「照合ＯＫ」である旨の通知を受けて、出力部１Ｊを介して電気錠コントローラ３へ入室許可信号を送る。電気錠コントローラ３は、主制御部１Ｇからの入室許可信号を受けて、その部屋の入り口のドアを解錠する。また、主制御部１Ｇは、表示制御部１Ｆを介して、表示部１Ｃに「照合ＯＫ」である旨を表示する。
【００１９】
照合の結果、両者が不一致であれば、ステップ４０６を経てステップ４０３へ戻る。これにより、照合部１Ｈはｎ＝ｎ＋１すなわちｎ＝２とし、２番目の登録指紋を主制御部１Ｇを介して記憶部１Ｉから呼び出し（ステップ４０４）、この呼び出した登録指紋と指紋入力部１Ａより入力された指紋との照合を行う（ステップ４０５）。照合の結果、両者が一致すればステップ４０７へ進むが、両者が一致しなければステップ４０６へ進み、上述した動作を繰り返す。
【００２０】
ステップ４０６ではｎ＝Ｎとなったか否かをチェックする。本実施の形態では、記憶部１Ｉにおける登録指紋の数をＮとしており、ｎ＝Ｎとなれば、すなわち指紋入力部１Ａより入力された指紋が記憶部１Ｉに記憶されているいずれの登録指紋とも一致しなければ、照合部１Ｈは「照合ＮＧ」である旨を主制御部１Ｇへ通知する（ステップ４０８）。主制御部１Ｇは、照合部１Ｈからの通知を受けて、表示制御部１Ｆを介し、表示部１Ｃに「照合ＮＧ」である旨を表示する。
【００２１】
この参考例１によれば、各部屋への共通の入り口では、そこに設置されている指紋照合装置２のキー入力部２ＢからＩＤ番号を入力すると、そのＩＤ番号に対応した登録指紋が記憶部２Ｉから呼び出され、指紋入力部２Ａから入力された指紋との照合が行われる。各部屋の入り口では、そこに設置されている指紋照合装置１の指紋入力部１Ａから指紋を入力すると、記憶部１Ｉに記憶されている登録指紋が順次に呼び出され、この呼び出された登録指紋と入力された指紋との照合が行われる。
【００２２】
すなわち、この参考例１では、各部屋への共通の入り口では番号入力タイプの指紋照合装置２を用いて照合が行われ、各部屋の入り口では番号非入力タイプの指紋照合装置１を用いて照合が行われる。この場合、各部屋への共通の入り口では、ＩＤ番号を入力しなければならないが、一対一照合が行われるので照合結果は短時間で得られる。各部屋の入り口では、ＩＤ番号を入力することなく、照合結果を得ることができる。各部屋の入り口では、登録されている指紋の数が少なく、照合結果は短時間で得られる。これにより、各部屋への共通の入り口および各部屋の入り口の両方に番号入力タイプの指紋照合装置を設置する場合や、各部屋への共通の入り口および各部屋の入り口の両方に番号非入力タイプの指紋照合装置を設置する場合と比較して、利用者のストレスが軽減されるものとなる。
【００２３】
〔参考例２〕
参考例１では、指紋照合装置２のキー入力部２Ｂから自己に割り当てられた固有のＩＤ番号を入力するものとした。この場合、ＩＤ番号は、「１００１」，「１００２」，「１００３」・・・・というような連続番号で割り当てられる。このため、マンションの居住者は、この特別なＩＤ番号を覚えておかなければならい。
【００２４】
これに対して、参考例２では、ＩＤ番号の代わりに居住者の部屋番号を利用する。この場合の各部屋への共通の入り口に設置する指紋照合装置の概略構成を図５に示す。この指紋照合装置２′では、記憶部２Ｉに、部屋番号に対応づけてその部屋に居住する人の指紋を記憶させておく。
【００２５】
図６はこの指紋照合装置２′での指紋照合処理を示すフローチャートである。共通の入り口において、マンションの住人は、指紋照合装置２′のキー入力部２Ｂより自分の部屋番号を入力する。入力された部屋番号は入力処理部２Ｅを介して主制御部２Ｇへ与えられる（ステップ６０１）。
【００２６】
次に、マンションの住人は、指紋照合装置２′の指紋入力部２Ａに指を押し当てて指紋を入力する。入力された指紋は画像処理部２Ｄを介して照合部２Ｈへ与えられる。照合部２Ｈは、指紋入力部２Ａより指紋が入力されると（ステップ６０２のＹＥＳ）、ｍ＝０としたうえ（ステップ６０３）、ｍ＝ｍ＋１とし（ステップ６０４）、キー入力部２Ｂからの部屋番号に対応する登録指紋の中からｍ番目の登録指紋を主制御部２Ｇを介して記憶部２Ｉから呼び出し（ステップ６０５）、この呼び出した登録指紋と指紋入力部２Ａより入力された指紋との照合を行う（ステップ６０６）。この場合、先ず最初に、入力された部屋番号に対応する登録指紋の中からｍ＝１番目の登録指紋が記憶部２Ｉから呼び出され、入力された指紋との照合が行われる。
【００２７】
照合の結果、両者が一致すれば、照合部２Ｈはその旨を主制御部２Ｇへ通知する（ステップ６０８）。主制御部２Ｇは、照合部２Ｈからの「照合ＯＫ」である旨の通知を受けて、出力部２Ｊを介して自動ドアコントローラ４へ入場許可信号を送る。自動ドアコントローラ４は、主制御部２Ｇからの入場許可信号を受けて、共通の入り口に設置されている自動ドアを開く。また、主制御部２Ｇは、表示制御部２Ｆを介して、表示部２Ｃに「照合ＯＫ」である旨を表示する。
【００２８】
照合の結果、両者が不一致であれば、ステップ６０７を経てステップ６０４へ戻る。これにより、照合部２Ｈはｍ＝ｍ＋１すなわちｍ＝２とし、キー入力部２Ｂからの部屋番号に対応する登録指紋の中から２番目の登録指紋を主制御部２Ｇを介して記憶部２Ｉから呼び出し（ステップ６０５）、この呼び出した登録指紋と指紋入力部２Ａより入力された指紋との照合を行う（ステップ６０６）。照合の結果、両者が一致すればステップ６０８へ進むが、両者が一致しなければステップ６０７へ進み、上述した動作を繰り返す。
【００２９】
ステップ６０７ではｍ＝Ｍとなったか否かをチェックする。本実施の形態では、記憶部２Ｉにおける入力部屋番号に対応して記憶された登録指紋の数をＭとし、ｍ＝Ｍとなれば、すなわち指紋入力部１Ａより入力された指紋が記憶部２Ｉにおける入力部屋番号に対応するいずれの登録指紋とも一致しなければ、照合部２Ｈは「照合ＮＧ」である旨を主制御部２Ｇへ通知する（ステップ６０９）。主制御部２Ｇは、照合部２Ｈからの通知を受けて、表示制御部２Ｆを介し、表示部２Ｃに「照合ＮＧ」である旨を表示する。
【００３０】
この参考例２によれば、照合のための特別なＩＤ番号を覚えておく必要がなく、すなわち自分の部屋番号だけ覚えておけばよく、利用者のストレスは更に軽減される。なお、部屋番号に対応して記憶された登録指紋を順次に呼び出して入力指紋と照合する分だけ時間がかかるが、この照合時間はきわめて短く、利用者のストレスは小さい。
【００３１】
〔実施の形態１〕
参考例２では、各部屋の共通の入り口に設置した指紋照合装置２′に記憶部２Ｉを設け、この記憶部２Ｉに部屋番号に対応づけてその部屋に居住する人の指紋を記憶させておくようにした。この場合、各部屋の入り口に設置された指紋照合装置１の記憶部１Ｉと共通の入り口に設置した指紋照合装置２′の記憶部２Ｉの両方で、同じ指紋を登録しなければならない。また、共通の入り口に設置した指紋照合装置２′が何者かに持ち去られた場合、指紋データが外部に漏れることになる。
【００３２】
これに対して、実施の形態１では、各部屋の入り口に設置された第１の指紋照合装置と各部屋の共通の入り口に設置された第２の指紋照合装置とを通信線で結び、第１の指紋照合装置に記憶されている登録指紋を第２の指紋照合装置で用いる。この場合、各部屋の入り口に設置する第１の指紋照合装置には、図７（ａ）に示すように通信インターフェイス１Ｋを設ける。この指紋照合装置を１′とする。また、各部屋の共通の入り口に設置する第２の指紋照合装置には、図７（ｂ）に示すように記憶部２Ｉに代えて通信インターフェイス２Ｋを設ける。この指紋照合装置を２”とする。そして、図８に示すように、指紋照合装置２”と指紋照合装置１′とを通信線Ｌで接続する。
【００３３】
図９は指紋照合装置２”での指紋照合処理を示すフローチャートである。共通の入り口において、マンションの住人は、指紋照合装置２”のキー入力部２Ｂより自分の部屋番号を入力する。入力された部屋番号は入力処理部２Ｅを介して主制御部２Ｇへ与えられる（ステップ９０１）。
【００３４】
次に、マンションの住人は、指紋照合装置２”の指紋入力部２Ａに指を押し当てて指紋を入力する。入力された指紋は画像処理部２Ｄを介して照合部２Ｈへ与えられる。照合部２Ｈは、指紋入力部２Ａより指紋が入力されると（ステップ９０２のＹＥＳ）、ｍ＝０としたうえ（ステップ９０３）、ｍ＝ｍ＋１とし（ステップ９０４）、主制御部２Ｇを介して通信インターフェイス２Ｋを起動し、キー入力部２Ｂからの部屋番号により特定される部屋の入り口に設置されている指紋照合装置１′に通信線Ｌを介してアクセスし、その記憶部１Ｉからｍ番目の登録指紋を呼び出す（ステップ９０５）。そして、この呼び出した登録指紋と指紋入力部２Ａより入力された指紋との照合を行う（ステップ９０６）。この場合、先ず最初に、入力された部屋番号により特定される指紋照合装置１′の登録指紋の中からｍ＝１番目の登録指紋が呼び出され、入力された指紋との照合が行われる。
【００３５】
照合の結果、両者が一致すれば、照合部２Ｈはその旨を主制御部２Ｇへ通知する（ステップ９０８）。主制御部２Ｇは、照合部２Ｈからの「照合ＯＫ」である旨の通知を受けて、出力部２Ｊを介して自動ドアコントローラ４へ入場許可信号を送る。自動ドアコントローラ４は、主制御部２Ｇからの入場許可信号を受けて、共通の入り口に設置されている自動ドアを開く。また、主制御部２Ｇは、表示制御部２Ｆを介して、表示部２Ｃに「照合ＯＫ」である旨を表示する。
【００３６】
照合の結果、両者が不一致であれば、ステップ９０７を経てステップ９０４へ戻る。これにより、照合部２Ｈはｍ＝ｍ＋１すなわちｍ＝２とし、キー入力部２Ｂからの部屋番号により特定される指紋照合装置１′の登録指紋の中から２番目の登録指紋を呼び出し（ステップ９０５）、この呼び出した登録指紋と指紋入力部２Ａより入力された指紋との照合を行う（ステップ９０６）。照合の結果、両者が一致すればステップ９０８へ進むが、両者が一致しなければステップ９０７へ進み、上述した動作を繰り返す。
【００３７】
ステップ９０７ではｍ＝Ｍとなったか否かをチェックする。本実施の形態では、入力部屋番号により特定される指紋照合装置１′中の登録指紋の数をＭとし、ｍ＝Ｍとなれば、すなわち指紋入力部１Ａより入力された指紋が入力部屋番号により特定された指紋照合装置１′中のいずれの登録指紋とも一致しなければ、照合部２Ｈは「照合ＮＧ」である旨を主制御部２Ｇへ通知する（ステップ９０９）。主制御部２Ｇは、照合部２Ｈからの通知を受けて、表示制御部２Ｆを介し、表示部２Ｃに「照合ＮＧ」である旨を表示する。
【００３８】
この実施の形態１によれば、各部屋への共通の入り口に設置された指紋照合装置２”への指紋の登録は不要であり、各部屋の入り口に設置された指紋照合装置１′に指紋を登録しておくのみでよい。また、共通の入り口に設置した指紋照合装置２”が何者かに持ち去られても、指紋データが外部に漏れることがない。
【００３９】
なお、実施の形態１では、指紋照合装置２”に対して部屋番号を入力するようにしたが、ＩＤ番号を入力するようにしてもよい。この場合、ＩＤ番号によって、各部屋の入り口に設置された指紋照合装置１′を特定する。
また、上述した実施の形態１では、指紋によって個人を識別するものとしたが、個人の識別は指紋に限られるものではなく、顔や目など各種の生体情報を利用しての個人識別が考えられる。
【００４０】
【発明の効果】
以上説明したことから明らかなように本発明によれば、各部屋への共通の入り口では、そこに設置されている第２の個人識別装置へＩＤ番号や部屋番号などの番号を入力すると、その番号により特定される部屋の入り口に設置された第１の個人認識装置の記憶部から通信により登録生体情報が呼び出され、入力された生体情報との照合が行われ、各部屋の入り口では、そこに設置されている第１の個人識別装置へ生体情報を入力すると、入力された生体情報とこの個人識別装置の記憶部に記憶されている登録生体情報との個別照合が行われるものとなり、各部屋への共通の入り口および各部屋の入り口の両方に番号入力タイプの指紋照合装置を設置する場合や、各部屋への共通の入り口および各部屋の入り口の両方に番号非入力タイプの指紋照合装置を設置する場合と比較して、利用者のストレスが軽減されると共に、第２の個人識別装置への生体情報の登録を不要とすることができ、また第２の個人識別装置が何者かに持ち去られても、生体情報が外部に漏れることがないという効果を奏する。
【図面の簡単な説明】
【図１】  各部屋の入り口に設置する第１の指紋照合装置および各部屋への共通の入り口に設置する第２の指紋照合装置の概略構成（参考例１）を示すブロック図である。
【図２】  本発明に係るセキュリティシステムのマンションへの適用例を示す配置図である。
【図３】  図１に示した第２の指紋照合装置での指紋照合処理を示すフローチャートである。
【図４】  図１に示した第１の指紋照合装置での指紋照合処理を示すフローチャートである。
【図５】  ＩＤ番号の代わりに居住者の部屋番号を利用するようにした場合の第２の指紋照合装置の概略構成（参考例２）を示すブロック図である。
【図６】  図５に示した第２の指紋照合装置での指紋照合処理を示すフローチャートである。
【図７】  第１の指紋照合装置の登録指紋を通信線を介して呼び出し第２の指紋照合装置で用いるようにした場合の第１の指紋照合装置および第２の指紋照合装置の概略構成（実施の形態１）を示すブロック図である。
【図８】  第１の指紋照合装置と第２の指紋照合装置との通信線を介する接続状況を示す図である。
【図９】  図７に示した第２の指紋照合装置での指紋照合処理を示すフローチャートである。
【符号の説明】
１、１′…第１の指紋照合装置、２、２′、２”…第２の指紋照合装置、３…電気錠コントローラ、４…自動ドアコントローラ、１Ａ…指紋入力部、１Ｂ…キー入力部、１Ｃ…表示部、１Ｄ…画像処理部、１Ｅ…入力処理部、１Ｆ…表示制御部、１Ｇ…主制御部、１Ｈ…照合部、１Ｉ…記憶部、１Ｊ…出力部、１Ｋ…通信インターフェイス、２Ａ…指紋入力部、２Ｂ…キー入力部、２Ｃ…表示部、２Ｄ…画像処理部、２Ｅ…入力処理部、２Ｆ…表示制御部、２Ｇ…主制御部、２Ｈ…照合部、２Ｉ…記憶部、２Ｊ…出力部、２Ｋ…通信インターフェイス。
【図１】
0003668089.tif 000002
【図２】
0003668089.tif 000003
【図３】
0003668089.tif 000004
【図４】
0003668089.tif 000005
【図５】
0003668089.tif 000006
【図６】
0003668089.tif 000007
【図７】
0003668089.tif 000008
【図８】
0003668089.tif 000009
【図９】
0003668089.tif 000010